(57)【特許請求の範囲】
【請求項１】
トップ層伝送制御機能エンティティ（Ｔｏｐ−ｔｉｅｒ  ＴＲＣ−ＦＥ）からのＲｐ参照点プロトコル・メッセージを受信する第１の受信モジュールと、
前記Ｒｐ参照点プロトコル・メッセージをアクセスノード制御プロトコルＡＮＣＰメッセージに変換する第１のプロトコル変換モジュールと、
前記変換を経て得られたＡＮＣＰメッセージを、アクセスノード内に配置された一体的並置の伝送制御機能エンティティ（Ｃｏ−ｌｏｃａｔｅｄ  ＴＲＣ−ＦＥ）に送信する第１の送信モジュールと、
を備えることを特徴とするインターワーキング機能エンティティ。
【請求項２】
前記第１のプロトコル変換モジュールは、予め設定されたプロトコルマッピング規則に基づいて、Ｒｐ参照点プロトコルメッセージをＡＮＣＰメッセージに変換することを特徴とする請求項１に記載のインターワーキング機能エンティティ。
【請求項３】
前記一体的並置の伝送制御機能エンティティからのＡＮＣＰメッセージを受信する第２の受信モジュールと、
前記ＡＮＣＰメッセージをＲｐ参照点プロトコルメッセージに変換する第２のプロトコル変換モジュールと、
前記変換を経て得られたＲｐ参照点プロトコルメッセージを前記トップ層伝送制御機能エンティティに送信する第２の送信モジュールと、
をさらに備えることを特徴とする請求項１に記載のインターワーキング機能エンティティ。
【請求項４】
前記第２のプロトコル変換モジュールは、予め設定されたプロトコルマッピング規則に基づいて、ＡＮＣＰメッセージをＲｐ参照点プロトコルメッセージに変換することを特徴とする請求項３に記載のインターワーキング機能エンティティ。
【請求項５】
前記インターワーキング機能エンティティは、ＩＰエッジノードに配置され、前記トップ層伝送制御機能エンティティと前記一体的並置の伝送制御機能エンティティとの間に位置し、
前記インターワーキング機能エンティティは、Ｒｐ参照点を介して前記トップ層伝送制御機能エンティティに接続され、ＡＮＣＰプロトコルを介して前記一体的並置の伝送制御機能エンティティに接続され、
前記インターワーキング機能エンティティは、前記トップ層伝送制御機能エンティティに対してＲｐ参照点プロトコルの終了点になり、
前記インターワーキング機能エンティティは、前記ＩＰエッジノードと前記アクセスノードとの間でのＲｐ参照点プロトコルメッセージの代わりとしても機能する、ことを特徴とする請求項１乃至４のいずれかに記載のインターワーキング機能エンティティ。
【請求項６】
インターワーキング機能エンティティが、トップ層伝送制御機能エンティティ（Ｔｏｐ−ｔｉｅｒ  ＴＲＣ−ＦＥ）から受信したＲｐ参照点プロトコルメッセージをＡＮＣＰメッセージに変換してアクセスノードに配置された一体的並置の伝送制御機能エンティティ（Ｃｏ−ｌｏｃａｔｅｄ  ＴＲＣ−ＦＥ）に送信するステップ、および/または、
前記インターワーキング機能エンティティが、前記一体的並置の伝送制御機能エンティティから受信したＡＮＣＰメッセージをＲｐ参照点プロトコルメッセージに変換して前記トップ層伝送制御機能エンティティに送信するステップを含む、ことを特徴とするインターワーキング機能エンティティのプロトコルマッピング方法。
【請求項７】
前記Ｒｐ参照点プロトコルメッセージには、前記Ｒｐ参照点プロトコルメッセージの識別子が付いており、前記ＡＮＣＰメッセージには、前記ＡＮＣＰメッセージの識別子が付いている、ことを特徴とする請求項６に記載のインターワーキング機能エンティティのプロトコルマッピング方法。
【請求項８】
Ｒｐ参照点プロトコルメッセージの識別子とＡＮＣＰメッセージの識別子とのマッピング関係を含むプロトコルマッピング規則を予め設定するステップをさらに含む、ことを特徴とする請求項６または７に記載のインターワーキング機能エンティティのプロトコルマッピング方法。
【請求項９】
前記インターワーキング機能エンティティによるＲｐ参照点プロトコルメッセージからＡＮＣＰメッセージへの変換方式には、
前記インターワーキング機能エンティティが、予め設定されたプロトコルマッピング規則に基づいて、前記Ｒｐ参照点プロトコルメッセージのフィールドを前記ＡＮＣＰメッセージの対応フィールドにマッピングすることと、
前記インターワーキング機能エンティティが、前記予め設定されたプロトコルマッピング規則の前記マッピング関係に基づいて、前記Ｒｐ参照点プロトコルメッセージの識別子を前記ＡＮＣＰメッセージの識別子にマッピングすることが含まれる、ことを特徴とする請求項８に記載のインターワーキング機能エンティティのプロトコルマッピング方法。
【請求項１０】
前記インターワーキング機能エンティティによるＡＮＣＰメッセージからＲｐ参照点プロトコルメッセージへの変換方式には、
前記インターワーキング機能エンティティが、予め設定されたプロトコルマッピング規則に基づいて、前記ＡＮＣＰメッセージのフィールドを前記Ｒｐ参照点プロトコルメッセージの対応フィールドにマッピングすることと、
前記インターワーキング機能エンティティが、前記予め設定されたプロトコルマッピング規則に基づいて、前記ＡＮＣＰメッセージの識別子をＲｐ参照点プロトコルメッセージの識別子にマッピングすることが含まれる、ことを特徴とする請求項８に記載のインターワーキング機能エンティティのプロトコルマッピング方法。
【発明の詳細な説明】
【技術分野】
【０００１】
本発明は、移動通信技術分野に関し、特にインターワーキング機能エンティティ（Ｉｎｔｅｒｗｏｒｋｉｎｇ  Ｆｕｎｃｔｉｏｎａｌ  Ｅｎｔｉｔｙ）及びそのプロトコルマッピング方法に関する。
【背景技術】
【０００２】
リソース・受付制御（Ｒｅｓｏｕｒｃｅ  ａｎｄ  Ａｄｍｉｓｓｉｏｎ  Ｃｏｎｔｒｏｌ）は、ＮＧＮ（Ｎｅｘｔ  Ｇｅｎｅｒａｔｉｏｎ  Ｎｅｔｗｏｒｋ、次世代ネットワーク）に導入される斬新な概念である。その機能層は、サービス制御層と負荷転送層との間にある。リソース・受付制御の実行により、上のサービス層に対して伝送網の詳細を遮蔽してサービス制御と伝送機能との分離を実現する一方、下の伝送網のリソース利用状況を感知する。受付制御とリソース制御により、伝送網のリソースを適切且つ合理的に利用することが確保され、サービスの品質が保証され、帯域幅とサービスの盗用が防止される。
【０００３】
ＲＡＣＦ（リソース・受付制御機能）は、ＩＴＵ組織により研究、定義されている。該リソース・受付制御機能のメカニズムの詳細を図１に示す。
【０００４】
ポリシー判断機能エンティティ（ＰＤ−ＦＥ、Ｐｏｌｉｃｙ  Ｄｅｃｉｓｉｏｎ  Ｆｕｎｃｔｉｏｎａｌ  Ｅｎｔｉｔｙ）は、ネットワークポリシー規則、サービス制御層により提供されるサービス情報、ネットワーク・アタッチメント機能により提供される伝送層の契約情報、伝送制御機能により提供されるリソース受付判断の結果に基づいて、ネットワークリソース受付制御の最終判断を行う。
【０００５】
伝送制御機能エンティティ（ＴＲＣ−ＦＥ、Ｔｒａｎｓｐｏｒｔ  Ｒｅｓｏｕｒｃｅ  Ｃｏｎｔｒｏｌ  Ｆｕｎｃｔｉｏｎａｌ  Ｅｎｔｉｔｙ）は、具体的なサービスには関わらないが、伝送技術に関わる。ＴＲＣ−ＦＥは、伝送網のトポロジー（ｔｏｐｏｌｏｇｙ）とリソース状態情報の収集やメンテナンスを司り、トポロジー、接続性、ネットワークとノード・リソースの利用可能性、アクセス網の伝送層の契約情報などの制御リソースの利用に基づいて、伝送網の受付制御を実行する。
【０００６】
伝送層は、ＰＥ−ＦＥ（Ｐｏｌｉｃｙ  Ｅｎｆｏｒｃｅｍｅｎｔ  Ｆｕｎｃｔｉｏｎａｌ  Ｅｎｔｉｔｙ）とＴＲＥ−ＦＥ（Ｔｒａｎｓｐｏｒｔ  Ｒｅｓｏｕｒｃｅ  Ｅｎｆｏｒｃｅｍｅｎｔ  Ｆｕｎｃｔｉｏｎａｌ  Ｅｎｔｉｔｙ）とからなる。ＰＥ−ＦＥは、ユーザ端末装置とアクセス網との間、アクセス網とコア網との間、または異なる通信事業者のネットワーク間に位置可能なｐａｃｋｅｔ-ｔｏ-ｐａｃｋｅｔ-ｇａｔｅｗａｙであり、動的ＱｏＳ制御、ポートアドレス変換制御をサポートするキーノードである。ＴＲＥ−ＦＥは、ＴＲＣ−ＦＥにより指示される伝送リソース・ポリシー規則を実行する。
【０００７】
ＣＰＮは、宅内ネットワーク（Ｃｕｓｔｏｍｅｒ  Ｐｒｅｍｉｓｅｓ  Ｎｅｔｗｏｒｋ）であり、  Ｓｅｒｖｉｃｅ  ｃｏｎｔｒｏｌ  ｆｕｃｔｉｏｎｓは、サービス制御機能、例えばマルチメディアシステムＩＭＳなどである。ＮＡＣＦ（Ｎｅｔｗｏｒｋ  Ａｔｔａｃｈｍｅｎｔ  Ｃｏｎｔｒｏｌ  Ｆｕｎｃｔｉｏｎｓ、ネットワーク・アタッチメント制御機能）は、ユーザ契約データなどの情報を提供する。
【０００８】
伝送網には、複数の伝送制御機能エンティティ（ＴＲＣ−ＦＥ）が共にユーザリソース受付制御を司る場合がある。例えば、アクセスノードに伝送エンティティと一体的に並置された伝送制御機能エンティティＴＲＣ−ＦＥは、インターフェースＲｐを介して上層のＴＲＣ−ＦＥとインターワーキングすることにより、マルチキャストサービスの受付制御を実現する。これにより、マルチキャスト複製機能をアクセスノードに繰り下げることができ、ネットワークリソースが大いに省かれる。これに対して、ＩＴＵは、Ｒｐ参照点プロトコル（ＲＣＩＰ）を定義しており、当該プロトコルを２つのＴＲＣ−ＦＥの間で起動することで、インターワーキングを実現する。しかし、具体的な広帯域ネットワークの配置においては、アクセスノードは、通常ＩＰエッジノードにより制御される。すなわち、ＩＰエッジノードは、ＡＮＣＰ（Ａｃｃｅｓｓ  Ｎｏｄｅ  Ｃｏｎｔｒｏｌ  Ｐｒｏｔｏｃｏｌ、アクセスノード制御プロトコル）により各々のアクセスノードを接続/制御する。この場合、アクセスノードにおいてＲＣＩＰプロトコルを再配置すると、現在のネットワークを大いに拡張する必要があるだけでなく、アクセスノードの性能においても巨大な挑戦を受けることになる。
【発明の概要】
【発明が解決しようとする課題】
【０００９】
本発明は、上記事情に鑑みてなされたもので、複数の伝送制御機能エンティティ（ＴＲＣ−ＦＥ）が共にユーザリソースの管理を司る場合の複数のＴＲＣ−ＦＥ間のインターワーキングの問題を解決するためのインターワーキング機能エンティティ及びそのプロトコルマッピング方法を提供することを目的とする。
【課題を解決するための手段】
【００１０】
本発明の一態様によれば、トップ層伝送制御機能エンティティ（Ｔｏｐ−ｔｉｅｒ  ＴＲＣ−ＦＥ）からのＲｐ参照点プロトコル・メッセージを受信する第１の受信モジュールと、Ｒｐ参照点プロトコル・メッセージをアクセスノード制御プロトコルＡＮＣＰメッセージに変換する第１のプロトコル変換モジュールと、変換を経て得られたＡＮＣＰメッセージを、アクセスノード内に配置された一体的並置の伝送制御機能エンティティ（Ｃｏ−ｌｏｃａｔｅｄ  ＴＲＣ−ＦＥ）に送信する第１の送信モジュールとを備えるインターワーキング機能エンティティが提供される。
【００１１】
また、第１のプロトコル変換モジュールは、予め設定されたプロトコルマッピング規則に基づいて、Ｒｐ参照点プロトコルメッセージをＡＮＣＰメッセージに変換する。
【００１２】
また、前記インターワーキング機能エンティティは、一体的並置の伝送制御機能エンティティからのＡＮＣＰメッセージを受信する第２の受信モジュールと、ＡＮＣＰメッセージをＲｐ参照点プロトコルメッセージに変換する第２のプロトコル変換モジュールと、変換を経て得られたＲｐ参照点プロトコルメッセージをトップ層伝送制御機能エンティティに送信する第２の送信モジュールとをさらに備える。
【００１３】
また、第２のプロトコル変換モジュールは、予め設定されたプロトコルマッピング規則に基づいて、ＡＮＣＰメッセージをＲｐ参照点プロトコルメッセージに変換する。
【００１４】
また、インターワーキング機能エンティティは、ＩＰエッジノードに配置され、トップ層伝送制御機能エンティティと一体的並置の伝送制御機能エンティティとの間に位置する。インターワーキング機能エンティティは、Ｒｐ参照点を介してトップ層伝送制御機能エンティティに接続され、ＡＮＣＰプロトコルを介して一体的並置の伝送制御機能エンティティに接続される。インターワーキング機能エンティティは、トップ層伝送制御機能エンティティに対してＲｐ参照点プロトコルの終了点になる。インターワーキング機能エンティティは、ＩＰエッジノードとアクセスノードとの間でＲｐ参照点プロトコルメッセージの代わりとしても機能する。
【００１５】
本発明の他の態様によれば、インターワーキング機能エンティティが、トップ層伝送制御機能エンティティから受信したＲｐ参照点プロトコルメッセージをＡＮＣＰメッセージに変換してアクセスノードに配置された一体的並置の伝送制御機能エンティティに送信するステップ、および/または、インターワーキング機能エンティティが、一体的並置の伝送制御機能エンティティから受信したＡＮＣＰメッセージをＲｐ参照点プロトコルメッセージに変換してトップ層伝送制御機能エンティティに送信するステップを含むインターワーキング機能エンティティのプロトコルマッピング方法が提供される。
【００１６】
また、Ｒｐ参照点プロトコルメッセージには、Ｒｐ参照点プロトコルメッセージの識別子が付いており、ＡＮＣＰメッセージには、ＡＮＣＰメッセージの識別子が付いている。
【００１７】
また、前記プロトコルマッピング方法は、Ｒｐ参照点プロトコルメッセージの識別子とＡＮＣＰメッセージの識別子とのマッピング関係を含むプロトコルマッピング規則を予め設定するステップをさらに含む。
【００１８】
また、インターワーキング機能エンティティによるＲｐ参照点プロトコルメッセージからＡＮＣＰメッセージへの変換方式には、インターワーキング機能エンティティが、予め設定されたプロトコルマッピング規則に基づいて、Ｒｐ参照点プロトコルメッセージのフィールドをＡＮＣＰメッセージの対応フィールドにマッピングすることと、インターワーキング機能エンティティが、予め設定されたプロトコルマッピング規則のマッピング関係に基づいて、Ｒｐ参照点プロトコルメッセージの識別子をＡＮＣＰメッセージの識別子にマッピングすることが含まれる。
【００１９】
また、インターワーキング機能エンティティによるＡＮＣＰメッセージからＲｐ参照点プロトコルメッセージへの変換方式には、インターワーキング機能エンティティが予め設定されたプロトコルマッピング規則に基づいてＡＮＣＰメッセージのフィールドをＲｐ参照点プロトコルメッセージの対応フィールドにマッピングすることと、インターワーキング機能エンティティが予め設定されたプロトコルマッピング規則に基づいてＡＮＣＰメッセージの識別子をＲｐ参照点プロトコルメッセージの識別子にマッピングすることが含まれる。
【発明の効果】
【００２０】
本発明によれば、インターワーキング機能エンティティを配置してＲｐ参照点プロトコルメッセージとアクセスノード制御プロトコルＡＮＣＰメッセージとの相互変換を行うことで、トップ層伝送制御機能エンティティとアクセスノードに配置された一体的並置の伝送制御機能エンティティとのインターワーキングが実現される。これにより、アクセスノードでのＲｐ参照点プロトコルの再配置を回避することができ、既存ネットワークへの拡張が減少されると共に、アクセスノードの性能が確保される。
【００２１】
本発明の他の特徴及び利点は、後述する明細書部分により説明され、一部は明細書から明らかになり、又は本発明を実施することによって把握できる。本発明の目的及び他の利点は明細書、特許請求の範囲及び図面に特別に記載した構造によって実現して取得できる。
【００２２】
図面は、本発明を更に理解するためのものであり、明細書の一部を構成する。また、本発明の実施例と共に本発明を解釈するものであり、本発明を限定するものではない。
【図面の簡単な説明】
【００２３】
【図１】従来のリソース受付制御機能の構成を示すブロック図である。
【図２】本発明の実施例に係るインターワーキング機能エンティティの構成を示す図である。
【図３】本発明の実施例１に係る好適なインターワーキングシステムを示す図である。
【図４】本発明の実施例２に係るＴｏｐ−ｔｉｅｒ  ＴＲＣ−ＦＥから始まる、マルチキャスト受付制御を要請するインターワーキング方法のフローチャートである。
【図５】本発明の実施例３に係るＣｏ−ｌｏｃａｔｅｄ  ＴＲＣ−ＦＥから始まるマルチキャスト受付制御のインターワーキング方法のフローチャートである。
【発明を実施するための形態】
【００２４】
以下、図面を参照しながら、本発明の好適な実施例を説明する。なお、ここで説明される好適な実施例は、本発明を説明ないし解釈するものに過ぎず、本発明を限定するものではない。矛盾することにならなければ、本願の実施例同士および実施例の特徴同士を組み合わせることが可能である。
【００２５】
図２は、本発明の実施例に係るインターワーキング機能エンティティ（ＩＷＫ）の構成を示す図である。図２に示すように、このインターワーキング機能エンティティは、トップ層伝送制御機能エンティティ（Ｔｏｐ−ｔｉｅｒ  ＴＲＣ−ＦＥ）からのＲｐ参照点プロトコル・メッセージを受信する第１の受信モジュール２１と、Ｒｐ参照点プロトコル・メッセージをＡＮＣＰメッセージに変換する第１のプロトコル変換モジュール２２と、変換を経て得られたＡＮＣＰメッセージを、アクセスノードに配置された一体的並置の伝送制御機能エンティティ（Ｃｏ−ｌｏｃａｔｅｄ  ＴＲＣ−ＦＥ）に送信する第１の送信モジュール２３とを備える。
【００２６】
本実施例において、インターワーキング機能エンティティを配置してＲｐ参照点プロトコル・メッセージをアクセスノード制御プロトコルメッセージに変換することにより、トップ層伝送制御機能エンティティ（Ｔｏｐ−ｔｉｅｒ  ＴＲＣ−ＦＥ）とアクセスノードに配置された一体的並置の伝送制御機能エンティティ（Ｃｏ−ｌｏｃａｔｅｄ  ＴＲＣ−ＦＥ）との通信が実現され、Ｔｏｐ−ｔｉｅｒ  ＴＲＣ−ＦＥがアクセスノードに配置されたＣｏ−ｌｏｃａｔｅｄ  ＴＲＣ−ＦＥと通信不能であるという関連技術の問題点が解決されている。本実施例によれば、Ｔｏｐ−ｔｉｅｒ  ＴＲＣ−ＦＥからＣｏ−ｌｏｃａｔｅｄ  ＴＲＣ−ＦＥへの通信を実現でき、アクセスノードでのＲｐ参照点プロトコルの再配置を回避することができ、既存ネットワークへの拡張が減少されると共に、アクセスノードの性能が確保される。
【００２７】
第１のプロトコル変換モジュール２２は、予め設定されたプロトコルマッピング規則に基づいて、Ｒｐ参照点プロトコルメッセージをＡＮＣＰメッセージに変換する。
【００２８】
前記インターワーキング機能エンティティは、図２に示すように、一体的並置の伝送制御機能エンティティ（Ｃｏ−ｌｏｃａｔｅｄ  ＴＲＣ−ＦＥ）からのＡＮＣＰメッセージを受信する第２の受信モジュール２４と、ＡＮＣＰメッセージをＲｐ参照点プロトコルメッセージに変換する第２のプロトコル変換モジュール２５と、変換を経て得られたＲｐ参照点プロトコルメッセージをトップ層伝送制御機能エンティティ（Ｔｏｐ−ｔｉｅｒ  ＴＲＣ−ＦＥ）に送信する第２の送信モジュール２６とをさらに備えることが好ましい。
【００２９】
本実施例において、インターワーキング機能エンティティを配置してアクセスノード制御プロトコルメッセージをＲｐ参照点プロトコル・メッセージに変換することにより、アクセスノードに配置された一体的並置の伝送制御機能エンティティ（Ｃｏ−ｌｏｃａｔｅｄ  ＴＲＣ−ＦＥ）とトップ層伝送制御機能エンティティ（Ｔｏｐ−ｔｉｅｒ  ＴＲＣ−ＦＥ）との通信が実現され、アクセスノードに配置されたＣｏ−ｌｏｃａｔｅｄ  ＴＲＣ−ＦＥがＴｏｐ−ｔｉｅｒ  ＴＲＣ−ＦＥと通信不能である関連技術の問題点が解決されている。本実施例によれば、Ｃｏ−ｌｏｃａｔｅｄ  ＴＲＣ−ＦＥからＴｏｐ−ｔｉｅｒ  ＴＲＣ−ＦＥへの通信を実現でき、アクセスノードでのＲｐ参照点プロトコルの再配置を回避することができ、既存ネットワークへの拡張が減少されると共に、アクセスノードの性能が確保される。
【００３０】
第２のプロトコル変換モジュール２５は、予め設定されたプロトコルマッピング規則に基づいて、ＡＮＣＰメッセージをＲｐ参照点プロトコルメッセージに変換する。
【００３１】
また、インターワーキング機能エンティティは、ＩＰエッジノードに配置され、トップ層伝送制御機能エンティティ（Ｔｏｐ−ｔｉｅｒ  ＴＲＣ−ＦＥ）と一体的並置の伝送制御機能エンティティ（Ｃｏ−ｌｏｃａｔｅｄ  ＴＲＣ−ＦＥ）との間に位置する。インターワーキング機能エンティティは、Ｒｐ参照点を介してＴｏｐ−ｔｉｅｒ  ＴＲＣ−ＦＥに接続され、ＡＮＣＰプロトコルを介してＣｏ−ｌｏｃａｔｅｄ  ＴＲＣ−ＦＥに接続される。インターワーキング機能エンティティは、Ｔｏｐ−ｔｉｅｒ  ＴＲＣ−ＦＥに対してＲｐ参照点プロトコルの終了点になる。インターワーキング機能エンティティは、ＩＰエッジノードとアクセスノードとの間でＲｐ参照点プロトコルメッセージの代わりとしても機能する。
【００３２】
前記実施例において、ＩＰエッジノードに配置されたインターワーキング機能エンティティによりＲｐ参照点プロトコルメッセージとＡＮＣＰメッセージとの相互変換を行うことで、Ｔｏｐ−ｔｉｅｒ  ＴＲＣ−ＦＥとアクセスノードに配置されたＣｏ−ｌｏｃａｔｅｄ  ＴＲＣ−ＦＥとのインターワーキングが実現される。これにより、アクセスノードでのＲｐ参照点プロトコルの再配置を回避することができ、既存ネットワークへの拡張が減少されると共に、アクセスノードの性能が確保される。
【００３３】
なお、本発明の実施例において、Ｒｐ参照点プロトコルメッセージは、ＲＣＩＰメッセージにより実施できるが、これに限らない。
【００３４】
以下、実施例１を例に、前記インターワーキング機能エンティティについて詳しく説明する。
【実施例１】
【００３５】
図３は、本発明の実施例１に係る好適なインターワーキングシステムを示す図である。実施例１において、図３に示すように、トップ層伝送制御機能エンティティ（Ｔｏｐ−ｔｉｅｒ  Ｔｒａｎｓｐｏｒｔ  Ｒｅｓｏｕｒｃｅ  Ｃｏｎｔｒｏｌ  Ｆｕｎｃｔｉｏｎａｌ  Ｅｎｔｉｔｙ）は、Ｔｏｐ−ｔｉｅｒ  ＴＲＣ−ＦＥ３１で、一体的並置の伝送制御機能エンティティ（Ｃｏ−ｌｏｃａｔｅｄ  Ｔｒａｎｓｐｏｒｔ  Ｒｅｓｏｕｒｃｅ  Ｃｏｎｔｒｏｌ  Ｆｕｎｃｔｉｏｎａｌ  Ｅｎｔｉｔｙ）は、アクセスノード（Ａｃｃｅｓｓ  Ｎｏｄｅ）３４に配置されたＣｏ−ｌｏｃａｔｅｄ  ＴＲＣ−ＦＥ３２で、インターワーキング機能エンティティ（ＩＷＫ）３３は、ＩＰエッジノード（Ｅｄｇｅ  Ｎｏｄｅ）３５に配置されたものである。
【００３６】
Ｔｏｐ−ｔｉｅｒ  ＴＲＣ−ＦＥ３１は、Ｒｐ参照点プロトコル（ＲＣＩＰ）メッセージを介してＩＷＫ４３とのインターワーキングを行う。Ｃｏ−ｌｏｃａｔｅｄ  ＴＲＣ−ＦＥ３２は、アクセスノード制御プロトコル（ＡＮＣＰ）メッセージを介してＩＷＫ３３とのインターワーキングを行う。ＩＷＫ３３は、予め設けられたプロトコルマッピング規則に基づいてＲＣＩＰメッセージとＡＮＣＰメッセージとの相互変換を行うことにより、Ｔｏｐ−ｔｉｅｒ  ＴＲＣ−ＦＥとＣｏ−ｌｏｃａｔｅｄ  ＴＲＣ−ＦＥとのインターワーキングを実現し、アクセスノードでのＲＣＩＰプロトコルの再配置を回避することができる。
【００３７】
本発明の実施例によれば、インターワーキング機能エンティティのプロトコルマッピング方法も提供される。
【００３８】
図３に示すように、インターワーキング機能エンティティは、トップ層伝送制御機能エンティティ（Ｔｏｐ−ｔｉｅｒ  ＴＲＣ−ＦＥ）から受信したＲｐ参照点プロトコルメッセージをＡＮＣＰメッセージに変換してアクセスノードに配置された一体的並置の伝送制御機能エンティティ（Ｃｏ−ｌｏｃａｔｅｄ  ＴＲＣ−ＦＥ）に送信する。インターワーキング機能エンティティは、ＩＰエッジノードに配置されている。
【００３９】
具体的には、インターワーキング機能エンティティがＴｏｐ−ｔｉｅｒ  ＴＲＣ−ＦＥから受信したＲｐ参照点プロトコルメッセージには、当該Ｒｐ参照点プロトコルメッセージの識別子が付いており、プロトコルマッピング規則で定義された、Ｒｐ参照点プロトコルメッセージとＡＮＣＰメッセージとのマッピング関係に基づいて、前記受信したＲｐ参照点プロトコルメッセージの識別子により、変換されたＡＮＣＰメッセージの識別子をバインディング（ｂｉｎｇｄｉｎｇ）し、当該ＡＮＣＰメッセージの識別子を、変換されたＡＮＣＰメッセージに付けてＣｏ−ｌｏｃａｔｅｄ  ＴＲＣ−ＦＥに送信する。
【００４０】
図３に示すように、インターワーキング機能エンティティは、Ｃｏ−ｌｏｃａｔｅｄ  ＴＲＣ−ＦＥから受信したＡＮＣＰメッセージをＲＣＩＰメッセージに変換してＴｏｐ−ｔｉｅｒ  ＴＲＣ−ＦＥに送信する。
【００４１】
具体的には、インターワーキング機能エンティティがＣｏ−ｌｏｃａｔｅｄ  ＴＲＣ−ＦＥから受信したＡＮＣＰメッセージには、当該ＡＮＣＰメッセージの識別子が付いており、プロトコルマッピング規則で定義された、Ｒｐ参照点プロトコルメッセージとＡＮＣＰメッセージとのマッピング関係に基づいて、前記受信したＡＮＣＰメッセージの識別子により、変換されたＲｐ参照点プロトコルメッセージの識別子をバインディング（ｂｉｎｇｄｉｎｇ）し、当該Ｒｐ参照点プロトコルメッセージの識別子を、変換されたＲｐ参照点プロトコルメッセージに付けてＴｏｐ−ｔｉｅｒ  ＴＲＣ−ＦＥに送信する。
【００４２】
実施例１の好適なインターワーキングシステムによれば、トップ層伝送制御機能エンティティ（Ｔｏｐ−ｔｉｅｒ  ＴＲＣ−ＦＥ）は、ＩＰエッジノードに位置するインターワーキング機能エンティティ（ＩＷＫ）を介してアクセスノード内の一体的並置の伝送制御機能エンティティ（Ｃｏ−ｌｏｃａｔｅｄ  ＴＲＣ−ＦＥ）に接続される。このようなアクセスモードによるマルチキャスト受付制御として、（１）Ｔｏｐ−ｔｉｅｒ  ＴＲＣ−ＦＥから始まるアクセスノードマルチキャスト受付制御（集約帯域幅の調整）と、（２）Ｃｏ−ｌｏｃａｔｅｄ  ＴＲＣ−ＦＥから始まるアクセスノードマルチキャスト受付制御（集約帯域幅の調整）とがある。
【００４３】
以下、実施例２、実施例３をもって、本発明の実施例に係るマルチキャストリソース受付制御に用いられるインターワーキング方法について詳細に説明する。
【実施例２】
【００４４】
図４は、本発明の実施例２に係るＴｏｐ−ｔｉｅｒ  ＴＲＣ−ＦＥから始まる、マルチキャスト受付制御を要請するインターワーキング方法のフローチャートである。このインターワーキング方法は、図４に示すように、ステップ４０１〜ステップ４０８を含む。
【００４５】
ステップ４０１において、Ｔｏｐ−ｔｉｅｒ  ＴＲＣ−ＦＥは、具体的なマルチキャストサービスにより指定される集約帯域幅の調整動作をトリガーする。
【００４６】
ステップ４０２において、Ｔｏｐ−ｔｉｅｒ  ＴＲＣ−ＦＥは、ＲＣＩＰプロトコルに基づく集約リソース割当要請メッセージをＩＰエッジノード内のＩＷＫに送信する。
【００４７】
ステップ４０３において、ＩＷＫは、集約リソース割当要請メッセージ（ＲＣＩＰメッセージ）を受信した後、該ＲＣＩＰメッセージを終了させ、ＡＮＣＰに基づく帯域幅調整要請メッセージを初期化し、予め設定されたプロトコルマッピング規則に基づいて、前記ＲＣＩＰメッセージ（集約リソース割当要請メッセージ）を、初期化したＡＮＣＰメッセージ（帯域幅調整要請メッセージ）に変換する。
【００４８】
具体的な変換過程において、ＩＷＫは、予め定義されたプロトコルマッピング規則に基づいて、ＲＣＩＰメッセージの複数のフィールドをＡＮＣＰメッセージにマッピングする、例えば、ＲＣＩＰメッセージの「ａｇｇｒｅｇａｔｅ  ｒｅｓｏｕｒｃｅ  ｏｂｊｅｃｔ」たるパラメータの「ｂａｎｄｗｉｄｔｈ」たるフィールドをＡＮＣＰメッセージの「ｂａｎｄｗｉｄｔｈ−ｒｅｑｕｅｓｔ  ＴＬＶ」たるフィールドにマッピングすることにより、ＲＣＩＰメッセージからＡＮＣＰメッセージへの変換を実現する。
【００４９】
予め定義されたプロトコルマッピング規則には、各項目が少なくともＲＣＩＰメッセージの「Ｃｏｎｎｅｃｔｉｏｎ  ＩＰ  Ｏｂｊｅｃｔ」とＡＮＣＰメッセージの「Ｔｒａｎｓａｃｔｉｏｎ  ＩＤ」とを含むプロトコルマッピングテーブルを設けてもよい。これにより、ＲＣＩＰメッセージからＡＮＣＰメッセージへの位置付けを実現する。
【００５０】
ステップ４０４において、ＩＷＫは、変換した帯域幅調整要請メッセージ（ＡＮＣＰメッセージ）を、アクセスノードに位置するＣｏ−ｌｏｃａｔｅｄ  ＴＲＣ−ＦＥに送信する。
【００５１】
ステップ４０５において、Ｃｏ−ｌｏｃａｔｅｄ  ＴＲＣ−ＦＥは、受信したＡＮＣＰメッセージに基づいて、マルチキャストリソースの予算シェアをインストールする。
【００５２】
ステップ４０６において、Ｃｏ−ｌｏｃａｔｅｄ  ＴＲＣ−ＦＥは、インストール結果付きの帯域幅調整応答メッセージ（ＡＮＣＰメッセージ）をＩＷＫに送信する。
【００５３】
ステップ４０７において、ＩＷＫは、帯域幅調整応答メッセージ（ＡＮＣＰメッセージ）を受信した後、該ＡＮＣＰメッセージを終了させ、集約リソース割当応答メッセージ（ＲＣＩＰメッセージ）を初期化し、予め設定されたプロトコルマッピング規則に基づいて、前記ＡＮＣＰメッセージ（帯域幅調整応答メッセージ）を、初期化したＲＣＩＰメッセージ（集約リソース割当応答メッセージ）に変換する。
【００５４】
具体的な変換過程において、ＩＷＫは、プロトコルマッピングテーブルに基づいて、ＡＮＣＰメッセージからＲＣＩＰメッセージへの位置付けを完了し、予め設定されたプロトコルマッピング規則に基づいて、ＡＮＣＰメッセージの複数のフィールドからＲＣＩＰメッセージのフィールドへのマッピングを完了し、例えば、ＡＮＣＰメッセージの「ｂａｎｄｗｉｄｔｈ−ｒｅｑｕｅｓｔ  ＴＬＶ」たるフィールドをＲＣＩＰメッセージの「ａｇｇｒｅｇａｔｅ  ｒｅｓｏｕｒｃｅ  ｏｂｊｅｃｔ」たるパラメータの「ｂａｎｄｗｉｄｔｈ」たるフィールドにマッピングする。
【００５５】
ステップ４０８において、ＩＷＫは、インストール結果付きの集約リソース割当応答メッセージ（ＲＣＩＰメッセージ）を、Ｔｏｐ−ｔｉｅｒ  ＴＲＣ−ＦＥに送信する。
【実施例３】
【００５６】
図５は、本発明の実施例３に係るＣｏ−ｌｏｃａｔｅｄ  ＴＲＣ−ＦＥから始まるマルチキャスト受付制御のインターワーキング方法のフローチャートである。このインターワーキング方法は、図５に示すように、ステップ５０１〜ステップ５１２を含む。
【００５７】
ステップ５０１において、ユーザ装置は、マルチキャストサービス要請をアクセスノードに送信する。
【００５８】
ステップ５０２において、アクセスノードに位置するマルチキャスト伝送制御機能エンティティ（ＭＴＣＦ、Ｍｕｌｔｉｃａｓｔ  Ｔｒａｎｓｐｏｒｔ  Ｃｏｎｔｒｏｌ  Ｆｕｎｃｔｉｏｎ）は、受信したマルチキャストサービス要請を処理し、ユーザにより要請されたチャネルがアクセスノードでまだ使用できない場合に、Ｃｏ−ｌｏｃａｔｅｄ  ＴＲＣ−ＦＥに当該チャネルのリソース受付制御を要請する。
【００５９】
ステップ５０３において、Ｃｏ−ｌｏｃａｔｅｄ  ＴＲＣ−ＦＥは、前記チャネルのリソース受付制御を実行し、帯域幅の調整が必要である場合に、帯域幅調整要請メッセージ（ＡＮＣＰメッセージ）をＩＷＫに送信する。
【００６０】
ステップ５０４において、ＩＷＫは、帯域幅調整要請メッセージ（ＡＮＣＰメッセージ）を受信した後、該ＡＮＣＰメッセージを終了させ、集約リソース割当要請メッセージ（ＲＣＩＰメッセージ）を初期化し、予め設定されたプロトコルマッピング規則に基づいて、前記ＡＮＣＰメッセージ（帯域幅調整要請メッセージ）を、初期化したＲＣＩＰメッセージ（集約リソース割当要請メッセージ）に変換する。
【００６１】
具体的な変換過程において、ＩＷＫは、プロトコルマッピングテーブルに基づいて、ＡＮＣＰメッセージからＲＣＩＰメッセージへの位置付けを完了し、予め設定されたプロトコルマッピング規則に基づいて、ＡＮＣＰメッセージの複数のフィールドからＲＣＩＰメッセージのフィールドへのマッピングを完了し、例えば、ＡＮＣＰメッセージの「ｂａｎｄｗｉｄｔｈ−ｒｅｑｕｅｓｔ  ＴＬＶ」たるフィールドをＲＣＩＰメッセージの「ａｇｇｒｅｇａｔｅ  ｒｅｓｏｕｒｃｅ  ｏｂｊｅｃｔ」たるパラメータの「ｂａｎｄｗｉｄｔｈ」たるフィールドにマッピングする。
【００６２】
ステップ５０５において、ＩＷＫは、集約リソース割当要請メッセージ（ＲＣＩＰメッセージ）をＴｏｐ−ｔｉｅｒ  ＴＲＣ−ＦＥに送信する。
【００６３】
ステップ５０６において、Ｔｏｐ−ｔｉｅｒ  ＴＲＣ−ＦＥは、当該集約リソース割当要請メッセージを受信した後、マルチキャスト集約リソースの割当を実行する。
【００６４】
ステップ５０７において、Ｔｏｐ−ｔｉｅｒＴＲＣ−ＦＥは、割当結果付きの集約リソース割当応答メッセージ（ＲＣＩＰメッセージ）をＩＷＫに送信する。
【００６５】
ステップ５０８において、ＩＷＫは、集約リソース割当応答メッセージ（ＲＣＩＰメッセージ）を受信した後、該ＲＣＩＰメッセージを終了させ、帯域幅調整応答メッセージ（ＡＮＣＰメッセージ）を初期化し、予め設定されたプロトコルマッピング規則に基づいて、前記ＲＣＩＰメッセージ（集約リソース割当応答メッセージ）を、初期化したＡＮＣＰメッセージ（帯域幅調整応答メッセージ）に変換する。
【００６６】
具体的な変換過程において、ＩＷＫは、プロトコルマッピングテーブルに基づいて、ＲＣＩＰメッセージからＡＮＣＰメッセージへの位置付けを完了し、予め設定されたプロトコルマッピング規則に基づいて、ＲＣＩＰメッセージの複数のフィールドからＡＮＣＰメッセージのフィールドへのマッピングを完了し、例えば、ＲＣＩＰメッセージの「ａｇｇｒｅｇａｔｅ  ｒｅｓｏｕｒｃｅ  ｏｂｊｅｃｔ」たるパラメータの「ｂａｎｄｗｉｄｔｈ」たるフィールドをＡＮＣＰメッセージの「ｂａｎｄｗｉｄｔｈ−ｒｅｑｕｅｓｔ  ＴＬＶ」たるフィールドにマッピングする。
【００６７】
ステップ５０９において、ＩＷＫは、変換した帯域幅調整応答メッセージ（ＡＮＣＰメッセージ）を、アクセスノードに位置するＣｏ−ｌｏｃａｔｅｄ  ＴＲＣ−ＦＥに送信する。
【００６８】
ステップ５１０において、Ｃｏ−ｌｏｃａｔｅｄ  ＴＲＣ−ＦＥは、受信したＡＮＣＰメッセージのうちの割当結果に基づいて、マルチキャストリソースの予算シェアをインストールする。
【００６９】
ステップ５１１において、Ｃｏ−ｌｏｃａｔｅｄ  ＴＲＣ−ＦＥは、リソース受付制御応答メッセージをＭＴＣＦに送信する。
【００７０】
ステップ５１２において、ＭＴＣＦは、マルチキャストサービス応答メッセージをユーザ装置に送信する。
【００７１】
上述したように、本発明によれば、インターワーキング機能エンティティは、予め設定されたプロトコルマッピング規則に基づいてＲｐ参照点プロトコルメッセージとアクセスノード制御プロトコルＡＮＣＰメッセージとの相互変換を行うことで、Ｔｏｐ−ｔｉｅｒ  ＴＲＣ−ＦＥとアクセスノードに配置されたＣｏ−ｌｏｃａｔｅｄ  ＴＲＣ−ＦＥとのインターワーキングが実現される。これにより、アクセスノードでのＲＣＩＰプロトコルの再配置を回避することができ、既存ネットワークへの拡張が減少されると共に、アクセスノードの性能が確保される。
【００７２】
以上は、本発明の好適な実施例に過ぎず、本発明を限定するものではない。本発明は、様々な変更や変形が可能である。本発明の精神や原則内で行われる如何なる変更、同等置換、改良なども本発明の保護範囲内に包含される。
【符号の説明】
【００７３】
２１  第１の受信モジュール
２２  第１のプロトコル変換モジュール
２３  第１の送信モジュール
２４  第２の受信モジュール
２５  第２のプロトコル変換モジュール
２６  第２の送信モジュール
３１  トップ層伝送制御機能エンティティ（Ｔｏｐ−ｔｉｅｒ  ＴＲＣ−ＦＥ）
３２  一体的並置の伝送制御機能エンティティ（Ｃｏ−ｌｏｃａｔｅｄ  ＴＲＣ−ＦＥ）
３３  インターワーキング機能エンティティ
３５  ＩＰエッジノード
【図１】
0005481561.tif 000002
【図２】
0005481561.tif 000003
【図３】
0005481561.tif 000004
【図４】
0005481561.tif 000005
【図５】
0005481561.tif 000006